(57)【要約】【課題】カメラは複数の撮影モード／再生モードを備え、それらのモードをダイアルなどのメカニカルな切り替え手段により、カメラ使用者が切り替えて使用することが一般的となっている。ぜんざいどのモードが選択されているかは、そのメカニカルな切り替え手段の状態を確認する必要があるが、確認しやすいとは言えない。このモード確認を利用者が容易に行えることを目的とする。【解決手段】撮影／再生といった複数の機能を持つ電子機器において、撮影／再生画像を表示可能な表示器と、複数の機能を切り替え可能なスイッチを備えたカメラ。【選択図】　　　　図１
2004077949.tif 000002
【特許請求の範囲】
【請求項１】
複数の処理モードを備えた電子機器において、複数の処理モードを選択するモード選択手段と、電子機器の起動を指示する起動指示手段と、任意の画像を表示可能な画像表示手段を備え、前記起動指示手段により起動が指示された場合、選択されている処理モードに応じ、処理モード毎に対応した画像データを、前記画像表示手段で表示することを特徴とする電子機器。
【発明の詳細な説明】
【０００１】
【発明の属する技術分野】
本発明は、静止画像を撮像、記録、再生する画像処理装置及び画像処理装置制御方法に関する。
【０００２】
【従来の技術】
カメラは複数の撮影モード／再生モードを備え、それらのモードをダイアルなどのメカニカルな切り替え手段により、カメラ使用者が切り替えて使用することが一般的となっている。また、現在どのモードが選択されているかは、そのメカニカルな切り替え手段の状態を確認する必要があり、煩わしさの要因となっている。
【０００３】
この解決策の一つとして特開２００１−１８６３８１号公報では、カメラ起動時に、それぞれの撮影モード、再生モード毎に異なる音を発するようにして、利用者が容易にモードを認識することが可能なカメラを実現している。
【０００４】
【発明が解決しようとする課題】
しかしながら特開２００１−１８６３８１号公報におけるカメラでは、例えばクラシックコンサートのような、カメラにより発する音を禁止したい状況には適さないものであった。また、聴覚に障害を持つ利用者には適さないものであった。
【０００５】
本発明はこのような事情に鑑みてなされたもので、カメラ起動時において、起動するモードごとに異なる起動画面を表示するようにして、利用者が視覚的にモードを認識することが可能な機器を提供することを目的としている。
【０００６】
【課題を解決するための手段】
上述した目的を達成するために、本発明の請求項１に係る発明によれば、撮影モードや再生モードといった複数の処理モードを備えたカメラにおいて、撮影／再生を選択可能なモードダイアルスイッチと、カメラの電源Ｏｎ／Ｏｆｆ切り替えスイッチと、撮影／再生する画像を表示可能なＴＦＴやＬＣＤを備え、利用者により電源Ｏｎされた場合、選択されているモードをモードダイアルスイッチから読み取り、撮影が選択されている場合、そのことが分かる特定の画像をＴＦＴやＬＣＤに表示し、再生が選択されている場合、そのことが分かる特定の画像をＴＦＴやＬＣＤに表示し、どのモードで起動がなされたかを利用者が容易に判断可能なカメラ。
【０００７】
【発明の実施の形態】
以下、添付の図面に沿って本発明の実施の形態を説明する。
【０００８】
図１、図２、図３に、カメラ外観図を示す。図１はカメラを正面から見た図、図２はカメラを上面から見た図、図３はカメラを背面から見た図である。
【０００９】
カメラは鏡筒を持ち、レンズ１０、バリア１０２から構成される。被写体を撮影するときは、レンズ１０を通して、カメラ内部に光を取り込む。６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することが出来る。図２では、Ｐｏｗｅｒ　ＯＦＦ、ＭＯＤＥ　Ａ、ＭＯＤＥ　Ｂ、ＭＯＤＥ　Ｃに設定できることを示している。２８はＴＦＴやＬＣＤ等から成る画像表示部であり、レンズ１０から入射した被写体映像、撮影後の画像、また、モードダイアルスイッチ６０の状態を示す特定の画像を表示することができる。図３では、ＭＯＤＥ　Ａでカメラが起動した際のイメージ画像を表示している状態を示している。
【００１０】
図４に、システム全体構成図を示す。
【００１１】
図４は、本発明の実施例の構成を示す図である。図４において、１００は画像処理装置である。１０は撮影レンズ、１２は絞り機能を備えるメカニカルシャッターであり、ここで絞り径を調節することで、撮像素子に受光する光量を変化させることが可能である。１４は光学像を電気信号に変換する撮像素子である。撮像素子は、長時間露光可能で全画素読み出し可能な本露光用駆動と、露光時間に限界があり一部画素のみ読み出しが可能な非本露光用駆動を持ち、それぞれを切り替えて使用することが可能である。
【００１２】
１６は撮像素子１４のアナログ信号出力をディジタル信号に変換するＡ／Ｄ変換器である。１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１３】
２０は画像処理回路であり、Ａ／Ｄ変換器１６からのデータ或いはメモリ制御回路２２からのデータに対して所定の画素補間処理や色変換処理を行う。また、画像処理回路２０においては、撮像した画像データを用いて所定の演算処理を行い、得られた演算結果に基づいてシステム制御回路５０が露光制御手段４０、測距制御手段４２に対して制御を行う、ＴＴＬ（Ｔｈｒｏｕｇｈ　Ｔｈｅ　Ｌｅｎｓ）方式のＡＦ（Ａｕｔｏ　Ｆｏｃｕｓ）処理、ＡＥ（Ａｕｔｏｍａｔｉｃ　Ｅｘｐｏｓｕｒｅ）処理、ＥＦ（Ｅｌｅｃｔｒｉｃａｌ　Ｆｌａｓｈ）処理を行っている。さらに、画像処理回路２０においては、撮像した画像データを用いて所定の演算処理を行い、得られた演算結果に基づいてＴＴＬ方式のＡＷＢ（Ａｕｔｏ　Ｗｈｉｔｅ　Ｂａｌａｎｃｅ）処理も行っている。
【００１４】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００１５】
２４は画像表示メモリ、２６はＤ／Ａ変換器、２８はＴＦＴやＬＣＤ等から成る画像表示部であり、画像表示メモリ２４に書き込まれた表示用の画像データはＤ／Ａ変換器２６を介して画像表示部２８により表示される。ここで、任意の画像を利用者に対して表示することにより、利用者に対して何らかの情報を伝達することができる。また、画像表示部２８を用いて撮像した画像データを逐次表示すれば、電子ファインダ機能を実現することが可能である。
【００１６】
また、画像表示部２８は、システム制御回路５０の指示により任意に表示をＯＮ／ＯＦＦすることが可能であり、表示をＯＦＦにした場合には画像処理装置１００の電力消費を大幅に低減することが出来る。さらに、画像表示部２８は、回転可能なヒンジ部によって画像処理装置１００本体と結合されており、自由な向き、角度を設定して電子ファインダ機能や再生表示機能、各種表示機能を使用することが可能である。
【００１７】
また、画像表示部２８の表示部分を画像処理装置１００に向けて格納することが可能であり、この場合は画像表示部開閉検知手段１０６により、格納状態を検知して画像表示部２８の表示動作を停止することが出来る。
【００１８】
３０は撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みをメモリ３０に対して行うことが可能となる。また、メモリ３０はシステム制御回路５０の作業領域としても使用することが可能である。３２は適応離散コサイン変換（Ａｄａｐｔｉｖｅ　Ｄｉｓｃｒｅｔｅ　Ｃｏｓｉｎｅ　Ｔｒａｎｓｆｏｒｍ）等により画像データを圧縮伸長する圧縮・伸長回路であり、メモリ３０に格納された画像を読み込んで圧縮処理或いは伸長処理を行い、処理を終えたデータをメモリ３０に書き込む。
【００１９】
４０は絞り機能を備えるメカニカルシャッター１２を制御する露光制御手段であり、内蔵フラッシュ７８、フラッシュ装置４００と連携することによりフラッシュ調光機能も有するものである。
【００２０】
４２は撮影レンズ１０のフォーカシングを制御する測距制御手段である。露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００２１】
４４は撮影レンズ１０のズーミングを制御するズーム制御手段、４６はバリアである保護手段１０２の動作を制御するバリア制御手段である。
【００２２】
４８はコネクタであり、アクセサリーシューとも呼ばれ、フラッシュ装置４００との電気接点や機械的な固定手段も合わせて備えている。
【００２３】
５０は画像処理装置１００全体を制御するシステム制御回路、５２はシステム制御回路５０の動作用の定数、変数、プログラム等を記憶するメモリである。
【００２４】
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばＬＣＤやＬＥＤ、発音素子等の組み合わせにより構成されている。
【００２５】
また、表示部５４は、その一部の機能が光学ファインダ１０４内に設置されている。表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付・時刻表示、等がある。
【００２６】
また、表示部５４の表示内容のうち、光学ファインダ１０４内に表示するものとしては、合焦表示、手振れ警告表示、フラッシュ充電表示、シャッタースピード表示、絞り値表示、露出補正表示、等がある。
【００２７】
５６は電気的に消去・記録可能な不揮発性メモリであり、例えばＥＥＰＲＯＭ等が用いられる。
【００２８】
６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。ここで、これらの操作手段の具体的な説明を行う。
【００２９】
６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することが出来る。
【００３０】
モードダイアルスイッチ６０の状態を、画像表示２８に特定の画像を表示することで利用者に通知することができる。システム制御５０は、モードダイアル６０の状態を検知することができる。また、不揮発性メモリ５６に格納されている、モードダイアルスイッチ６０のそれぞれのモードに対応した画像を読み出すことができる。システム制御５０は電源オン時、設定されているモードをモードダイアルスイッチから検知し、そのモードに対応した画像を不揮発性メモリ５６から読み出す。その画像を、メモリ制御２２を介して画像表示メモリ２４に書き込む。これにより電源オン時、画像表示２８にはモードに対応した画像が表示される。
【００３１】
６２はシャッタースイッチＳＷ１で、不図示のシャッターボタンの操作途中でＯＮとなり、ＡＦ（Ａｕｔｏ　Ｆｏｃｕｓ）処理、ＡＥ（Ａｕｔｏ　Ｅｘｐｏｓｕｒｅ）処理、ＡＷＢ（Ａｕｔｏ　Ｗｈｉｔｅ　Ｂａｌａｎｃｅ）処理、ＥＦ（Ｅｌｅｃｔｒｉｃａｌ　Ｆｌａｓｈ）処理等の動作開始を指示する。
【００３２】
６４はシャッタースイッチＳＷ２で、不図示のシャッターボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００３３】
６６は画像表示ＯＮ／ＯＦＦスイッチで、画像表示部２８のＯＮ／ＯＦＦを設定することが出来る。この機能により、光学ファインダ１０４を用いて撮影を行う際に、ＴＦＴやＬＣＤ等から成る画像表示部への電流供給を遮断することにより、省電力を図ることが可能となる。
【００３４】
６８は単写／連写スイッチで、シャッタースイッチＳＷ２を押した場合に１駒の撮影を行って待機状態とする単写モードとシャッタースイッチＳＷ２を押している間は連続して撮影を行い続ける連写モードとを設定することが出来る。
【００３５】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、パノラマモード等の撮影及び再生を実行する際に各種機能の選択及び切り替えを設定する選択／切り替えボタン、パノラマモード等の撮影及び再生を実行する際に各種機能の決定及び実行を設定する決定／実行ボタン、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチ、ＪＰＥＧ圧縮の圧縮率を選択するため或いは撮像素子の信号をそのままディジタル化して記録媒体に記録するＣＣＤＲＡＷモードを選択するためのスイッチである圧縮モードスイッチ、再生モード、マルチ画面再生・消去モード、ＰＣ接続モード等の各機能モードを設定することが出来る再生モードスイッチ、撮影モード状態において、撮影した画像をメモリ３０或いは記録媒体２００或いは２１０から読み出して画像表示部２８によって表示する再生動作の開始を指示する再生スイッチ等がある。
【００３６】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００３７】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００３８】
９０及び９４はメモリカードやハードディスク等の記録媒体とのインターフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。なお、本実施例では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。
【００３９】
また、異なる規格のインターフェース及びコネクタを組み合わせて備える構成としても構わない。インターフェース及びコネクタとしては、ＰＣＭＣＩＡカードやＣＦ（コンパクトフラッシュ（登録商標））カード等の規格に準拠したものを用いて構成して構わない。さらに、インターフェース９０及び９４、そしてコネクタ９２及び９６をＰＣＭＣＩＡカードやＣＦ（コンパクトフラッシュ）カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００４０】
１０２は、画像処理装置１００のレンズ１０を含む撮像部を覆う事により、撮像部の汚れや破損を防止するバリアである保護手段である。
【００４１】
１０４は光学ファインダであり、画像表示部２８による電子ファインダ機能を使用すること無しに、光学ファインダのみを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、露出補正表示などが設置されている。
【００４２】
１０６は画像表示部開閉検知手段であり、画像表示部２８が、画像表示部２８の表示部分を画像処理装置１００に向けて格納した格納状態にあるかどうかを検知することが出来る。ここで、格納状態にあると検知したならば画像表示部２８の表示動作を停止して不要な電力消費を禁止することが可能である。
【００４３】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。１１２は通信手段１１０により画像処理装置１００を他の機器と接続するコネクタ或いは無線通信の場合はアンテナである。
【００４４】
２００はメモリカードやハードディスク等の記録媒体である。記録媒体２００は、半導体メモリや磁気ディスク等から構成される記録部２０２、画像処理装置１００とのインターフェース２０４、画像処理装置１００と接続を行うコネクタ２０６を備えている。２１０はメモリカードやハードディスク等の記録媒体である。記録媒体２１０は、半導体メモリや磁気ディスク等から構成される記録部２１２、画像処理装置１００とのインターフェース２１４、画像処理装置１００と接続を行うコネクタ２１６を備えている。
【００４５】
４００はフラッシュ装置である。４０２は画像処理装置１００のアクセサリーシューと接続するためのコネクタである。４０４はフラッシュであり、ＡＦ補助光の投光機能、フラッシュ調光機能も有する。
【００４６】
図５は、システム制御５０で行われるシステム起動時の処理フローである。このフローは、モードダイアルスイッチ６０が操作されてからのシステム起動に関わる処理を表したものである。
【００４７】
電源制御手段８０を操作することで、カメラ内の各ブロックに対して電源供給を行う（Ｓ７０１）。その後、モードダイアルスイッチ６０の状態を検知し、どのモードで起動すべきか認識する（Ｓ７０３）。図５のフローでは、ＭＯＤＥ　Ａ、ＭＯＤＥ　Ｂ、ＭＯＤＥ　Ｃの３種類のモードを備えたカメラを例に記述しているが、モードの種類、モードの数は、特に規定されるものではない。起動すべきモードを認識後、不揮発性メモリ５６にあらかじめ格納されている、各モードに適した画像情報を読み込む（Ｓ７０５、Ｓ７０７、Ｓ７０９）。この画像の内容は特に規定はないが、どのモードで起動されているのかを利用者が判別可能な内容であることが望ましい。
【００４８】
また、この画像は、モードの増減に対応して、同様に増減させることが可能である。不揮発性メモリから読み込んだ画像を、メモリ制御２２を使用して、画像表示メモリ２４に書き込む。これにより画像表示２８には、不揮発性メモリから読み込んだ画像が表示されることとなり、カメラ利用者に対してどのモードによる起動がなされたのかを通知することができる。
【００４９】
画像を表示した状態のまま、それぞれのモードでの起動に必要なその他の処理を行う（Ｓ７１３、Ｓ７１５、Ｓ７１７）。再生に必要な処理として、記録部２０２、２１２から、記録済みの画像データを読み込む処理を実行する。撮影に必要な処理として、バリア１０２、レンズ１０からなる鏡筒の繰り出し処理を実行する。
【００５０】
それぞれのモードにおいて必要な起動処理が完了した後、画像表示２８に表示しておいた、モード状態を通知する画像データの表示をとりやめる（Ｓ７１９）。
【００５１】
（他の実施形態）
実施例では、各モードに対応した表示画像を、カメラ内部にある不揮発性メモリ５６に格納しているが、これを記録部２０２、２１２に格納しておくことも可能である。また表示画像は、利用者自身が用意した任意のものにすることも可能である。
【００５２】
実施例では、各モードに対応した表示画像の表示時間を、そのモードの起動に必要な処理の実行中のみ表示させているが、この限りではなく、利用者が任意の時間に設定することも可能である。
【００５３】
【発明の効果】
以上説明したように、カメラ起動時において、画像表示部２８にそれぞれのモードに対応した起動画面を表示することで、利用者はどのモードによる起動かを容易に判断することが可能となる。
【図面の簡単な説明】
【図１】カメラ外観図・正面
【図２】カメラ外観図・上面
【図３】カメラ外観図・背面
【図４】システム全体構成図
【図５】システム起動フロー
【符号の説明】
１０：撮影レンズ
１２：シャッター
１４：撮像素子
１６：Ａ／Ｄ変換器
１８：タイミング発生回路
２０：画像処理回路
２２：メモリ制御回路
２４：画像表示メモリ
２６：Ｄ／Ａ変換器
２８：画像表示部
３０：メモリ
３２：画像圧縮・伸長回路
４０：露光制御手段
４２：測距制御手段
４４：ズーム制御手段
４６：バリア制御手段
４８：コネクタ（アクセサリーシュー）
５０：システム制御回路
５２：メモリ
５４：表示部
５６：不揮発性メモリ
６０：モードダイアルスイッチ
６２：シャッタースイッチＳＷ１
６４：シャッタースイッチＳＷ２
６６：画像表示ＯＮ／ＯＦＦスイッチ
６８：単写／連写スイッチ
７０：操作部
７８：内蔵フラッシュ
８０：電源制御手段
８２：コネクタ
８４：コネクタ
８６：電源手段
９０：インターフェース
９２：コネクタ
９４：インターフェース
９６：コネクタ
９８：記録媒体着脱検知手段
１００：画像処理装置
１０２：保護手段
１０４：光学ファインダ
１０６：画像表示部開閉検知手段
１１０：通信手段
１１２：コネクタ（またはアンテナ）
２００：記録媒体
２０２：記録部
２０４：インターフェース
２０６：コネクタ
２１０：記録媒体
２１２：記録部
２１４：インターフェース
２１６：コネクタ
４００：フラッシュ装置
４０２：コネクタ
４０４：フラッシュ
【図１】
2004077949.tif 000003
【図２】
2004077949.tif 000004
【図３】
2004077949.tif 000005
【図４】
2004077949.tif 000006
【図５】
2004077949.tif 000007